(57)【要約】      （修正有）【課題】使い勝手の良好なハンガー装置を提供する。【解決手段】ハンガーを吊下げる第一吊部材５を支持した上脚部材２１およびその下側に配置される下脚部材２０と有する二本の脚部材３と、第一吊部材５の下部側に配置されて衣類等を保持する途中部材７と、途中部材７を脚部材３に取付ける取付手段８とを備え、脚部材３どうしは、それぞれの端部である継足部２５，２６を介して継足し可能とされ、上脚部材２１および下脚部材２０の外周に環状の係止溝が形成され、係止溝は、脚部材３の軸心方向に沿って等間隔に複数形成され、且つ継足部２５，２６においては、上脚部材２１と下脚部材２０の端部どうしで継目に係止溝が形成され、取付手段８は係止溝に係止する係止凸起を備える。【選択図】図８
0003220975.tif 000002
【実用新案登録請求の範囲】
【請求項１】
少なくとも一本の脚部材と、前記脚部材の上部側に配置されハンガーを吊下げるための吊部材と、該吊部材に対して、前記脚部材の下部側に配置され対象物を保持する途中部材と、該途中部材を前記脚部材に取付ける取付手段とを備え、
前記脚部材は、前記吊部材を支持する上脚部材と、該上脚部材の下側に配置される下脚部材とを備え、前記上脚部材と前記下脚部材は、それぞれの端部である継足部を介して継足し可能とされ、
前記上脚部材および前記下脚部材の外周に環状の係止溝が形成されて、該係止溝は、前記脚部材の軸心方向に沿って等間隔に複数形成され、且つ前記継足部においては、前記上脚部材と前記下脚部材の端部どうしで継目に前記係止溝が形成され、
前記取付手段は、前記係止溝に係止する係止凸起を備えたことを特徴とするハンガー装置。
【請求項２】
前記脚部材を立設するための支持台を備え、
前記下脚部材は前記支持台に立設して二本設けられ、
前記下脚部材のそれぞれに前記上脚部材が継足され、
前記吊部材は、前記二本の上脚部材の上端部間に差渡された請求項１に記載のハンガー装置。
【請求項３】
前記吊部材の両端部に、前記ハンガーの摺動を阻止するハンガーストッパが配置された請求項２に記載のハンガー装置。
【請求項４】
前記支持台は、前記下脚部材を載置する枠部材と、該枠部材の下部に配置されたキャスターとを備えた請求項２または請求項３に記載のハンガー装置。
【請求項５】
前記支持台は、前記枠部材に連結され二本の前記下脚部材の並ぶ方向、且つ上下方向に直交する前後方向のうち、前記枠部材から前方側に延設される第一支持部と、該第一支持部の下側に配置され、前記下脚部材に対して前後両方向で延長される第二支持部と、前記第一支持部と前記第二支持部の前後どうしを上下方向で連結する第三支持部と、を含む管部材で構成される請求項４に記載のハンガー装置。
【請求項６】
前記支持台は、前記第一支持部と前記第二支持部との途中部分を上下に連結する補強材を備える請求項５に記載のハンガー装置。
【考案の詳細な説明】
【技術分野】
【０００１】
本考案は、例えば衣類やタオル等を配置するためのハンガー装置に関する。
【背景技術】
【０００２】
特許文献１に、ハンガー装置（特許文献１では、回転式衣類掛用ハンガーとされる）が開示されている。このハンガー装置では、基枠に立設された二本の支持用棒と、支持用棒に取付手段を介して取付けられた保持部材と、保持部材に取付けられた湾曲円状上部枠とを備え、湾曲円状上部枠には、ハンガー掛部材が装着される。
【０００３】
また、支持用棒の外周には、支持用棒の軸心方向に沿って複数の溝部が配置されている。そして取付手段は、溝部に係合する環状凸部を有して支持用棒に外嵌する小筒体と、小筒体の一部を楔状に内嵌して、且つ支持用棒に外嵌する保持筒とを備え、前記保持部材は保持筒に連結されている。
【０００４】
保持筒に連結された保持部材を支持用棒上に固定するには、小筒体の環状凸部を所定の溝部に嵌合するようにし、支持用棒に予め外嵌した保持筒を小筒体の上から通し小筒体の上部に保持筒を外嵌することで、保持筒が保持部材とともに支持用棒上に固定される。
【先行技術文献】
【特許文献】
【０００５】
【特許文献１】実開平６−５５３３号公報（図９〜図１３）
【考案の概要】
【考案が解決しようとする課題】
【０００６】
特許文献１に記載のハンガー装置は、支持用棒に取付手段を介して取付けられた保持部材と、保持部材に取付けられた湾曲円状上部枠とを備え、湾曲円状上部枠には、ハンガー掛部材が装着される。このような複雑な構成であっても、衣類等を掛ける部分は、支持用棒の上部に一段しかない。
【０００７】
また、支持用棒は継足し式ではなく、溝部も支持用棒の上端から、支持用棒の軸方向途中部分までしか形成されていないから、その分だけ、ハンガー掛部材（保持部材）の高さ位置が制限されていた。このため、特許文献１のハンガー装置では、衣類等の配置の仕方に対して、使い勝手が悪かった。
【０００８】
そこで本考案は、使い勝手の良好なハンガー装置の提供を目的とする。
【課題を解決するための手段】
【０００９】
本考案に係るハンガー装置は、少なくとも一本の脚部材と、前記脚部材の上部側に配置されハンガーを吊下げるための吊部材と、該吊部材に対して、前記脚部材の下部側に配置され対象物を保持する途中部材と、該途中部材を前記脚部材に取付ける取付手段とを備え、前記脚部材は、前記吊部材を支持する上脚部材と、該上脚部材の下側に配置される下脚部材とを備え、前記上脚部材と前記下脚部材は、それぞれの端部である継足部を介して継足し可能とされ、前記上脚部材および前記下脚部材の外周に環状の係止溝が形成されて、該係止溝は、前記脚部材の軸心方向に沿って等間隔に複数形成され、且つ前記継足部においては、前記上脚部材と前記下脚部材の端部どうしで継目に前記係止溝が形成され、前記取付手段は、前記係止溝に係止する係止凸起を備えたことを特徴としている。
【００１０】
上記構成の本考案のハンガー装置では、下脚部材の端部である継足部と上脚部材の端部である継足部によって下脚部材に上脚部材が継足でき、各継足部の継目、および上脚部材および下脚部材の軸心方向に沿った外周には、環状の係止溝が等間隔に形成されており、この係止溝に、取付手段の係止凸起が係止することで、途中部材の高さを決めることができ、特に、上脚部材および下脚部材を継足した場合でも、上脚部材および下脚部材の継足部の継ぎ目が係止溝となるため目立たず、継足部の外周に形成した係止溝に係止凸起が係合することで、継足部にも途中部材の位置決めができ、また、上脚部材に吊部材を有し、吊部材の位置を決めた状態で吊部材と途中部材の間隔を任意の幅にでき、吊部材と途中部材とによって衣類等の配置がなされて、便利な使用ができる。
【００１１】
本考案に係るハンガー装置は、支持台を備え、前記下脚部材は前記支持台に立設して二本設けられ、前記下脚部材のそれぞれに前記上脚部材が継足され、前記吊部材は、前記上脚部材の上端部に差渡された構成を採用できる。
【００１２】
上記構成のハンガー装置では、支持台に立脚された二本の下脚部材に上脚部材が継足されているから、支持台に対して下脚部材および上脚部材が確実に立設され、上脚部材における吊部材が、両側の上脚部材に差渡されているから、吊部材が確実に支持される。
【００１３】
本考案に係るハンガー装置は、前記吊部材の両端部に、前記ハンガーの摺動を阻止するハンガーストッパが配置された構成を採用できる。
【００１４】
上記構成のハンガー装置では、吊部材にハンガーを吊持した際に、ハンガーストッパによってハンガーの位置決めができ、また、ハンガーストッパにより、吊部材に複数のハンガーが並べられた状態を維持できる。
【００１５】
本考案に係るハンガー装置では、前記支持台は、前記下脚部材を載置する枠部材と、該枠部材の下部に配置されたキャスターとを備えた構成を採用できる。
【００１６】
上記構成のハンガー装置では、下脚部材が枠部材によって載置され、枠部材にはキャスターを備えているので、枠部材の運搬が楽である。
【００１７】
本考案に係るハンガー装置では、前記支持台は、前記枠部材に連結され二本の前記下脚部材の並ぶ方向、且つ上下方向に直交する前後方向のうち、前記枠部材から前方側に延設される第一支持部と、該第一支持部の下側に配置され、前記下脚部材に対して前後両方向で延長される第二支持部と、前記第一支持部と前記第二支持部の前後どうしを上下方向で連結する第三支持部と、を含む管部材で構成された構成を採用できる。
【００１８】
上記構成のハンガー装置では、吊部材に吊下げた衣類等や、途中部材で保持する衣類等（対象物）の荷重を第一支持部、第二支持部、第三支持部を含む管部材で支持するため、支持台の耐久性が増す。
【００１９】
本考案に係るハンガー装置では、前記支持台は、前記第一支持部と前記第二支持部との途中部分を上下に連結する補強材を備えた構成を採用できる。
【００２０】
上記構成のハンガー装置では、第一支持部と第二支持部との途中部分を補強材で上下に連結したから、さらに支持台の耐久性が増す。
【考案の効果】
【００２１】
本考案のハンガー装置によれば、使い勝手の良好なハンガー装置が提供できる。
【図面の簡単な説明】
【００２２】
【図１】本考案の一実施形態に係るハンガー装置の正面図である。
【図２】同背面図である。
【図３】同側面図である。
【図４】同斜視図である。
【図５】同連結手段を拡大した一部破断正面図である。
【図６】同第一継足部および第二吊部材の取付手段を拡大した一部破断正面図である。
【図７】同第二継足部および途中部材の取付手段を拡大した一部破断正面図である。
【図８】同脚部材の継目状態を示す一部破断正面図である。
【図９】同下脚部材にかご装置が収まった状態の平面図である。
【考案を実施するための形態】
【００２３】
以下、本考案の一実施形態に係るハンガー装置を、図１ないし図９を参照して説明する。図１ないし図４に示すように、ハンガー装置１は、床面に支持される支持台２と、支持台２に立設された二本の脚部材３，３と、脚部材３，３どうしの上端部側に架け渡すように配置されて、ハンガー４等を吊下げるための吊部材５（第一吊部材５）と、吊部材５に対して、脚部材３，３の下端部側に配置される途中部材７（第二吊部材６、かご装置３２）と、途中部材７を脚部材３，３に取付ける取付手段８とを備える。
【００２４】
支持台２は、左右に所定距離だけ離間して、しかも前後方向に配置された上側の杆状の第一支持部９，９と、左右に所定距離だけ離間して、第一支持部９，９の下側に配置された杆状の第二支持部１０，１０と、第一支持部９，９と第二支持部１０，１０を前側で連結する湾曲した第三支持部１１，１１と、第二支持部１０，１０間の後端を左右方向で連結する杆状の第四支持部１２とを備える。また、第一支持部９，９は、第二支持部１０，１０の略半分ほどの長さに設定されている。また、第一支持部９，９の後端には、脚部材３，３が連結される枠部材１３，１３が、上向きに形成されている。また、第一支持部９，９の途中と第二支持部１０，１０の途中部分には、両者を補強するための杆状の補強材１４，１４が連結されている。
【００２５】
なお、第一支持部９，９が左右に離間した所定距離とは、後述する途中部材７の左右端を収めるのに充分な距離であり、第二支持部１０，１０が左右に所定距離だけ離間した所定距離とは、途中部材７の前後端を収めるのに充分な距離である。すなわち、支持台２は、左右を第二支持部１０，１０、後方を第四支持部１２で囲われた枠状体であり、その内部に途中部材７（かご装置３２）が収められる。
【００２６】
また、図４に示すように、支持台２の下部（第二支持部１０，１０、第四支持部１２）に、四つのキャスター１５，１６が配置されている。前方のキャスター１５は第二支持部１０，１０の下部にそれぞれ配置され、後方のキャスター１６は第四支持部１２の左右方向にそれぞれ配置されている。なお、キャスター１５，１６は、第二支持部１０，１０、第四支持部１２に取付金具１７を介して車輪１８が第二支持部１０，１０、第四支持部１２に連結される構成で、車輪１８は、取付金具１７に対して水平方向に回転可能に構成されている。
【００２７】
二本の脚部材３，３は、第一支持部９，９の枠部材１３，１３（支持台２）に立設されている。脚部材３，３は、下脚部材２０，２０と上脚部材２１，２１とを備える。具体的には、枠部材１３，１３に連結される杆状の下脚部材２０，２０と、下脚部材２０，２０の上方に配置される杆状の上脚部材２１，２１とを備えている。上脚部材２１，２１は、さらに杆状の中脚部材２２，２２と、上端脚部材２３，２３とを備える。
【００２８】
ハンガー装置１では、図１、図５に示すように、枠部材１３，１３と下脚部材２０，２０どうしを連結する連結手段２４が設けられ、例えば連結手段２４は、枠部材１３，１３の上端に形成され枠部材１３，１３の径よりも小径のねじ２４ａと、下脚部材２０，２０の下端に形成されたねじ孔２４ｂとを有する。
【００２９】
ハンガー装置１では、図６に示すように、下脚部材２０，２０の上端と、上脚部材２１，２１における中脚部材２２，２２の下端とを継足すための第一継足部２５が設けられている。第一継足部２５は、中脚部材２２，２２の下端に形成され、その径よりも小径のねじ２５ａと、下脚部材２０，２０の上端に形成されたねじ孔２５ｂとを備え、ねじ２５ａとねじ孔２５ｂが嵌合することで、下脚部材２０，２０と中脚部材２２，２２とが着脱自在に、上下方向で連結される。
【００３０】
ハンガー装置１では、図７に示すように、上脚部材２１，２１における中脚部材２２，２２の上端と、上脚部材２１，２１における上端脚部材２３，２３の下端とを継足すための第二継足部２６が設けられている。第二継足部２６は、上端脚部材２３，２３の下端の外周よりも小径のねじ２６ａと、中脚部材２２，２２の上端に形成されたねじ孔２６ｂとを備え、ねじ２６ａとねじ孔２６ｂが嵌合することで、上端脚部材２３，２３と中脚部材２２，２２とが着脱自在に、上下方向で連結される。また、上端脚部材２３，２３どうしの上端部は、杆状の第一吊部材（吊部材に相当する）５により差渡されて、上端脚部材２３，２３と第一吊部材５とは一体的に形成されている。
【００３１】
図８に示すように、脚部材３，３では、下脚部材２０，２０と上脚部材２１，２１が第一継足部２５で継足され（継目が形成され）、上脚部材２１，２１では、中脚部材２２，２２と上端脚部材２３，２３が第二継足部２６で継足され（継目が形成され）、脚部材３，３では、上端脚部材２３，２３と中脚部材２２，２２とがねじ２５ａで継足され（継目が形成され）、下脚部材２０，２０と枠部材１３，１３とがねじ２４ａで継足し可能である。なお、後述する組立て方法のように、下脚部材２０，２０の下端部分（脚片２８）は、下脚部材２０，２０の軸心方向すなわち、上下方向の中心に対して回動自在に設けられ、ねじ２４ａに対して回動自在（フリー）に回転する構成である。
【００３２】
下脚部材２０，２０、中脚部材２２，２２は、それぞれ上下方向の杆状の脚片２７，２８によって一体的に形成されている。なお、本実施形態では、下脚部材２０，２０が中脚部材２２，２２よりも長く形成されている。また、下脚部材２０，２０、中脚部材２２，２２は、第一継足部２５，第二継足部２６を除いて中空断面とされる。
【００３３】
図４に示すように、第一吊部材５に、ハンガー４の摺動を阻止するハンガーストッパ３０が配置されている。ハンガーストッパ３０は複数個配置（図面では二個）され、この場合では、第一吊部材５の左右両側部分に配置されている。ハンガーストッパ３０は環状に形成されて縮径可能に構成され、第一吊部材５の外周よりも大径のものを縮径させるような形態で第一吊部材５に係止されている。すなわち、ハンガーストッパ３０は、第一吊部材５の左右方向に手動可能である。
【００３４】
そして、中脚部材２２，２２と下脚部材２０，２０の軸心方向（上下方向）に沿った外周、連結手段２４、第一継足部２５、第二継足部２６の外周すなわち継目に、環状の係止溝３１が形成される。前述のように、下脚部材２０，２０、中脚部材２２，２２は、それぞれ上下方向の脚片２７，２８により一体的に形成されているが、係止溝３１は、下脚部材２０，２０、中脚部材２２，２２の脚片２７，２８ごとの上端、下端に配置されることで、軸心方向に沿って等間隔に形成されている。なお、係止溝３１は、下脚部材２０，２０、中脚部材２２，２２の脚片２７，２８ごとの上端、下端を、内周面側にカットして形成されている。
【００３５】
ハンガー装置１では、第一吊部材５に対して、脚部材３，３の下部側に配置される途中部材７は、図４に示すように、第二吊部材６と、かご装置３２が例示される。第二吊部材６は、脚部材３，３間に配置されて杆状に形成され、左右両端に、脚部材３，３の径よりも大径で、脚部材３，３に摺動自在な挿通部３３，３３が一体に形成されている。
【００３６】
図４および図９に示すように、かご装置３２は、底面を形成する平面視して矩形のかご３４と、かご３４の四辺から立上げられる側壁３５，３６とを備え、左右両端の側壁３５に、脚部材３，３の径よりも大径で、脚部材３，３に摺動自在な挿通部３３，３３が一体に形成されている。なお、第二吊部材６の挿通部３３，３３と、かご装置３２の挿通部３３，３３とは同一の構成であるため、同一の符号を付す。
【００３７】
途中部材７を脚部材３，３に取付ける取付手段８は、挿通部３３，３３と、脚部材３，３との間の隙間に、下方から挿入される環状且つ楔状のスペーサ３７と、前記係止溝３１とを備えている。スペーサ３７は、弾性を有し、一方が肉薄で他方が肉厚に形成され、また、一方と他方との間の内周に、係止溝３１に外側から係合する筋状の係止凸起３８が形成されている。また、スペーサ３７は一体物として構成される。
【００３８】
上記構成のハンガー装置１において、組立て方法の一例を説明する。上端脚部材２３，２３の下端に形成されたねじ２６ａと、中脚部材２２，２２の上端に形成されたねじ孔２６ｂによって構成された第二継足部２６によって、上端脚部材２３，２３と中脚部材２２，２２とを取付ける。また、中脚部材２２，２２の下端に形成されたねじ２５ａと、下脚部材２０，２０の上端に形成されたねじ孔２５ｂによって構成された第一継足部２５によって、下脚部材２０，２０と中脚部材２２，２２とを取付ける。
【００３９】
そして、第二吊部材６の両端に形成された挿通部３３，３３を脚部材３，３に挿通し、スペーサ３７を脚部材３，３に挿通する。このときスペーサ３７は、肉薄側を上にして挿通する。また、かご装置３２の側壁３５に形成された挿通部３３，３３を脚部材３，３に挿通する。図４では、かご装置３２は二個設けてあり、かご装置３２の挿通部３３，３３を脚部材３，３に挿通するごとに、スペーサ３７を脚部材３，３に挿通する。
【００４０】
このようにして、第二吊部材６、かご装置３２、複数のスペーサ３７を取付けた脚部材３，３を、枠部材１３，１３のねじ２４ａと、下脚部材２０，２０の下端に形成されたねじ孔２４ｂとで構成される連結手段２４によって、枠部材１３，１３（支持台２）に下脚部材２０，２０を取付ける。また、下脚部材２０，２０の下端部分は、下脚部材２０，２０の軸心方向に対して回動自在に設けられ、ねじ２４ａに対してフリーに回転する構成であるから、下脚部材２０，２０を枠部材１３，１３に容易に取付けられる。そして、キャスター１５，１６を下にして床面等に支持台２を置く。
【００４１】
支持台２に立脚された二本の下脚部材２０，２０に、上脚部材２３，２３が、第一継足部２５、第二継足部２６によって継足されている（連結されている）から、支持台２に対して、下脚部材２０，２０および上脚部材２３，２３が確実に立設された状態となる。また、上脚部材２３，２３における第一吊部材５が、両側の上脚部材２３，２３（上端脚部材２３，２３）に差渡されているから、第一吊部材５が確実に支持される。
【００４２】
また、第二吊部材６の高さ位置、かご装置３２の高さ位置を合わせる。例えば、第二吊部材６の高さ位置を、所定箇所の係止溝３１に合わせるとき、仮に、第二吊部材６を第一継足部２５の係止溝３１に合わせるものとする。このとき、取付手段８によって、第二吊部材６の高さ位置を合わせるために、第二吊部材６の挿通部３３，３３の高さ方向中間位置を、第一継足部２５をめどに合わせ、挿通部３３，３３の下側からスペーサ３７を、支持脚３，３と挿通部３３，３３の隙間に挿入して、係止凸起３８を第一継足部２５に対応する係止溝３１に外側から嵌合する。
【００４３】
また、図４では、かご装置３２は二個設けてある。これは、第二吊部材６の下側にあって、互いが上下方向に離間して配置される。この場合も上記第二吊部材６のときと同様、取付手段８の係止凸起３８を係止溝３１に嵌合することによって、支持脚３，３（下脚部材２０）の所定位置に、二個のかご装置３２を配置することができる。
【００４４】
例えば、上記のようにしてハンガー装置１を組立てると、衣服（対象物）を掛けたハンガー４を、第一吊部材５に係止することができ、また、例えばタオルを第二吊部材６に掛けることや、あるいは衣服を掛けたハンガー４を第二吊部材６に係止することもできる。かご装置３２には、折畳んだタオルの大小を選択して設置することができる。
【００４５】
この例では、第一吊部材５の高さ方向位置を、第一継足部２５に対応する係止溝３１に合わせたが、第二吊部材６は、必ずしも第一継足部２５に対応する係止溝３１に合わせる必要はない。すなわち、上脚部材２１，２１（上端脚部材２３，２３）には第一吊部材５が差渡されており、第二吊部材６の高さ調節をすれば、第一吊部材５の位置を決めた状態で第二吊部材６の上下方向の間隔を任意の幅にでき、このため便利な使用ができる。
【００４６】
なお、ハンガーストッパ３０は、環状に形成されて縮径可能に構成されているから、組立の際に第一吊部材５に嵌合しておいても、後付けしてもよい。何れにしても、ハンガーストッパ３０は左右方向に手動可能であるから、衣服を掛けたハンガー４を第一吊部材５に係止した際に、所望の位置に操作できて、その分だけ便利である。また、ハンガーストッパ３０によってハンガー４の位置決めができ、また、ハンガーストッパ３０により、第一吊部材５に複数のハンガー４が並べられた状態を維持できる。
【００４７】
支持台２にはキャスター１５，１６が取付けられ、このキャスター１５，１６では、前方のキャスター１５は第二支持部１０，１０の下部にそれぞれ配置され、後方のキャスター１６は第四支持部１２の左右方向にそれぞれ配置されている。つまり、前後方向に投影した場合、キャスター１５とキャスター１６との位置が左右方向でずれ、キャスター１５とキャスター１６とは、前後方向にもずれている。このため、衣服を掛けたハンガー４を第一吊部材５、第二吊部材６に複数配置した場合であっても、支持台２が床面等に対して確実に支持される。また、キャスター１５，１６によって、支持台２を移動させることができる。
【００４８】
また、第一吊部材５、第二吊部材６、あるいはかご装置３２に積んで保持された衣類等（対象物）の荷重を、第一支持部９，９、第二支持部１０，１０、第三支持部１１，１１を含む管部材で支持するため、支持台２の耐久性が増している。また第一支持部９，９と第二支持部１０，１０との途中部分を補強材１４，１４で上下に連結したから、さらに支持台２の耐久性が増す。
【００４９】
上記構成のハンガー装置１では、下脚部材２０，２０と中脚部材２２，２２が第一継足部２５によって連結され、中脚部材２２，２２と上端脚部材２３，２３とが第二継足部２６によって連結されている。このように、脚部材３，３全体を継足すことで構成されているから、利便性が良好である。
【００５０】
また、第一継足部２５の外周、第二継足部２６の外周、上脚部材２３，２３（中脚部材２２，２２）の軸心方向に沿った外周、および下脚部材２０，２０の軸心方向に沿った外周には、環状の係止溝３１が等間隔に形成されており、この係止溝３１に、取付手段８の係止凸起３８が係止することで、途中部材７における脚部材３，３の高さを決めることができる。
【００５１】
特に、上脚部材２１，２１（中脚部材２２，２）および下脚部材２０，２０を、第一継足部２５および第二継足部２６によって継足した場合に、途中部材７を設置しても、取付手段８によって係止溝３１により継ぎ目が目立たないか、隠すことができる。
【００５２】
本考案は、上記実施形態に限定されるものではなく、本考案の要旨を逸脱しない範囲で種々の変更が可能である。上記実施形態では、脚部材３，３は、第一継足部２５および第二継足部２６によって、下脚部材２０，２０、上脚部材２１，２１を連結した。しかしながら、下脚部材２０，２０、上脚部材２１，２１の高さ方向中間に、さらに継足部を設けることで、脚部材３，３の上下方向を長く形成してもよい。あるいは、上脚部材２１，２１のうち、中脚部材２２を省略して、上脚部材２１，２１を上端脚部材２３，２３のみとすることもできる。
【００５３】
上記実施形態では、途中部材７の一部を第二吊部材６とした。しかしながら、第二吊部材６の代わりにかご装置３２とすることもできるし、かご装置３２の代わりに第二吊部材６とすることもできる。
【００５４】
上記実施形態では、第一継足部２５として、中脚部材２２，２２の下端に形成され、その径よりも小径のねじ２５ａと、下脚部材２０，２０の上端に形成されたねじ孔２５ｂとを備えていた。しかしながら、下脚部材２０，２０にねじ２５ａを形成し、中脚部材２２，２２にねじ孔２５ｂを形成してもよい。
【００５５】
上記実施形態では、取付手段８のうち、スペーサ３７は一体物として形成した。しかしながら、半割れ状のスペーサ部材を組合せてスペーサ３７としてもよい。この場合では、組立工程においてスペーサ３７は、予め脚部材３，３に設けず、スペーサ３７の係止凸起３８を所定の係止溝３１に嵌合させてから、途中部材７の挿通部３３，３３をスペーサ３７に外嵌することもできる。
【００５６】
なお、上記実施形態では、図８で示すように、上脚部材２１，２１を中脚部材２２，２２と上端脚部材２３，２３とから構成した。しかしながら、上脚部材２１，２１のうち中脚部材２２，２２を省き、下脚部材２０，２０に対し、上端脚部材２３，２３を、ねじ２６ａとねじ孔２５ｂを用いて連結することもできる。この場合においても、ねじ２６ａとねじ孔２５ｂとの継足し部分に継目が形成され、途中部材７が取付手段８を介して取付け可能である。
【００５７】
上記実施形態では、脚部材３，３は支持台２に対して二本で構成していた。しかしながら、第一吊部材５および途中部材７を備えていれば、脚部材３，３は一本（片側のみ）でもよく、途中部材７は支持台２に対して片持支持とされる。この場合では、例えば一本の脚部材３の上端に、第一吊部材５が水平方向に延長した構成を採用できる。また、上記実施形態と同様の取付手段８で対応可能である。またこの場合、第一吊部材５に設けられたハンガーストッパ３０を左右方向に離間して形成することで、第一吊部材５に対するハンガー４の離脱が防止できる。
【符号の説明】
【００５８】
１…ハンガー装置、２…支持台、３，３…脚部材、４…ハンガー、５…第一吊部材、６…第二吊部材、７…途中部材、８…取付手段、９，９…第一支持部、１０，１０…第二支持部、１１，１１…第三支持部、１２…第四支持部、１３，１３…枠部材、１５，１６…キャスター、２０，２０…下脚部材、２１，２１…上脚部材、２２，２２…中脚部材、２３，２３…上端脚部材、２４…連結手段、２５…第一継足部、２６…第二継足部、２７，２８…脚片、３０…ハンガーストッパ、３１…係止溝、３２…かご装置、３３，３３…挿通部、３７…スペーサ、３８…係止凸起
【図１】
0003220975.tif 000003
【図２】
0003220975.tif 000004
【図３】
0003220975.tif 000005
【図４】
0003220975.tif 000006
【図５】
0003220975.tif 000007
【図６】
0003220975.tif 000008
【図７】
0003220975.tif 000009
【図８】
0003220975.tif 000010
【図９】
0003220975.tif 000011